(57)【要約】【課題】複層ガラス用のサッシ框に単板ガラスを取付けることのできるグレチャンであって、サッシ框のガラス開口溝に強固にガラスを固定することのできるサッシ用グレチャンを提供する。【解決手段】断面形状略Ｕ字状からなり複合サッシ用の横幅を有するグレチャン本体１に溝状のガラス保持部５を形成してなるサッシ用グレチャンにおいて、ガラス保持部５は単板ガラス３０を嵌挿する幅に形成すると共に、単板ガラス３０の周縁部に当接するガラス当接部７ａを開口部６近傍に幅狭に形成し、グレチャン本体１の天面部２をガラス保持部５の開口部６から左右の側面に向かう下り傾斜の幅広状にて構成し、ガラス当接部７ａを厚肉状に形成してなる。【選択図】　図１
2004124388.tif 000002
【特許請求の範囲】
【請求項１】
断面形状略Ｕ字状からなり、金属框の屋内側露出部分を樹脂框にて略覆ってなる複合サッシ框のガラス挿入溝と略同幅に形成されるグレチャン本体に溝状のガラス保持部を形成してなるサッシ用グレチャンにおいて、
上記ガラス保持部は単板ガラスを嵌挿する幅に形成すると共に、上記単板ガラスの周縁部に当接するガラス当接部を開口部近傍に幅狭に形成してなることを特徴とするサッシ用グレチャン。
【請求項２】
上記グレチャン本体の天面部を上記ガラス保持部の開口部から左右の側面に向かう下り傾斜の幅広状にて構成し、上記開口部のガラス当接部を厚肉状に形成することを特徴とする請求項１記載のサッシ用グレチャン。
【請求項３】
上記ガラス当接部の開口幅を上記天面部の横幅に対して略５分の１以下の幅狭に形成することを特徴とする請求項２記載のサッシ用グレチャン。
【請求項４】
上記開口部のガラス当接部の厚さをその開口幅に対して同等以上の厚さに形成することを特徴とする請求項２記載のサッシ用グレチャン。
【請求項５】
上記ガラス保持部と左右の側面の間にはそれぞれ中空部を形成することを特徴とする請求項１〜４記載のサッシ用グレチャン。
【発明の詳細な説明】
【０００１】
【発明の属する技術分野】
本発明は、サッシの框にガラスを固定するサッシ用グレチャン（グレージングチャンネル）に関し、特に複層ガラス用の框に単板ガラスを固定するサッシ用グレチャンに関する。
【０００２】
【従来の技術】
従来、サッシの框に納められるガラスの外周には樹脂等からなるグレージングチャンネル（以下グレチャンという）を四周に渡って設けている。グレチャンを設けることにより、ガラス周縁部を保護すると共にシール性を確保することができる。
【０００３】
サッシは断熱性の向上や屋内側の意匠性の向上のために、金属枠や金属框の屋内側露出部分を樹脂枠や樹脂框で覆った複合サッシが広く用いられている。この場合、框に固定されるガラスは、断熱性を確保するために一般的には複層ガラスを用いる。
【０００４】
複層ガラスを框に固定するためのグレチャンは、例えば特開平１０−３１７８０５のように、サッシによって挟持され、複層ガラスの屋内側面及び屋外側面に圧接して固定している。複合サッシの場合は、金属框の屋内側露出部分に断熱性向上と強度確保のために中空状に形成された樹脂框を取付けるため、サッシの見込み幅は通常のサッシに比べると大きくなる。また、複層ガラスを取付けるため、単板ガラスの場合よりも厚くなり、したがってグレチャンも幅広に形成される。
【０００５】
一方、断熱性をそれほど必要としないサッシにおいては、サッシを全て金属によって形成した通常のサッシが用いられている。この場合には、ガラスも断熱性をそれほど必要としないため、一般的に単板ガラスが用いられる。ここで、単板ガラスを固定するグレチャンは、複層ガラスを固定する場合に比べると幅狭に形成される。
【０００６】
【発明が解決しようとする課題】
しかし、断熱性をそれほど必要としないサッシであっても、屋内側の意匠性を向上させるために、複合サッシを用いることがある。この場合においては、複層ガラスを用いるよりも単板ガラスを用いた方がコスト的に有利である。しかし、従来単板ガラスを固定するために用いるグレチャンは幅狭なものしかなく、複合サッシに適合するものは存在しなかった。一方、従来の単板ガラス用に用いるグレチャンを複合サッシに用いるためにサッシの構造を変更すると、複層ガラスを用いる複合サッシとの部品の共用化を図ることができず、コストの増大につながる。
【０００７】
本発明は、上記問題点を解決すべくなされたものであり、複層ガラス用のサッシ框に単板ガラスを取付けることのできるグレチャンであって、サッシ框のガラス開口溝に強固にガラスを固定することのできるサッシ用グレチャンを提供することを目的とする。
【０００８】
【課題を解決するための手段】
上記課題を解決するため、本発明に係るサッシ用グレチャンは、断面形状略Ｕ字状からなり、金属框の屋内側露出部分を樹脂框にて略覆ってなる複合サッシ框のガラス挿入溝と略同幅に形成されるグレチャン本体に溝状のガラス保持部を形成してなるサッシ用グレチャンにおいて、
上記ガラス保持部は単板ガラスを嵌挿する幅に形成すると共に、上記単板ガラスの周縁部に当接するガラス当接部を開口部近傍に幅狭に形成してなることを特徴として構成されている。
【０００９】
また、本発明に係るサッシ用グレチャンは、上記グレチャン本体の天面部を上記ガラス保持部の開口部から左右の側面に向かう下り傾斜の幅広状にて構成し、上記開口部のガラス当接部を厚肉状に形成することを特徴として構成されている。
【００１０】
さらに、本発明に係るサッシ用グレチャンは、上記ガラス当接部の開口幅を上記天面部の横幅に対して略５分の１以下の幅狭に形成することを特徴として構成されている。
【００１１】
さらにまた、本発明に係るサッシ用グレチャンは、上記開口部のガラス当接部の厚さをその開口幅に対して同等以上の厚さに形成することを特徴として構成されている。
【００１２】
そして、本発明に係るサッシ用グレチャンは、上記ガラス保持部と左右の側面の間にはそれぞれ中空部を形成することを特徴として構成されている。
【００１３】
【発明の実施の形態】
本発明の実施形態について、図に基づいて詳細に説明する。図１は、本実施形態におけるグレチャン本体１の断面図を示している。本実施形態におけるグレチャン本体１は、断面形状を略Ｕ字状に形成されると共に、長手方向に略同一断面となるように極めて長い長尺状に形成される。単板ガラス３０にグレチャンを取付ける際には、適宜必要な長さに切断して用いられる。
【００１４】
本実施形態におけるグレチャン本体１は、弾力性を有する軟質の樹脂材からなり、その断面形状において、天面部２と底面４及び左右の側面３、３により断面形状略Ｕ字状とされてなると共に、単板ガラス３０を保持するガラス保持部５を形成されている。ガラス保持部５は、天面部２の略中央に開口部６を有し、この開口部６から溝状に形成されている。
【００１５】
グレチャン本体１は、複層ガラスの厚さに適合するように形成された框体２０のガラス挿入溝３１ｂに納まるように、天面部２及び底面４を幅広に形成すると共に、複層ガラスに比べて厚さの薄い単板ガラス３０を保持することができるように、ガラス保持部５は幅狭に形成される。
【００１６】
グレチャン本体１の底面４は、水平方向に平坦な平面となるように形成される。また、単板ガラス３０の下方に取付けられたグレチャン本体１の底面４は、金属下框２５に設けられるセッティングブロック３２の上面に当接する。
【００１７】
また、グレチャン本体１の側面３は、その下半分は底面４から斜め上方に延びると共に、上半分は垂直方向に延びている。左右の側面３、３における上半分の垂直方向に延びた部分には、それぞれサッシ固定溝３ａ、３ａが形成されており、グレチャンの取付けの際には、框体２０のガラス挟持部３１の先端部に内側に向かって設けられた係合部３１ａを係合させてグレチャン本体１を挟持する。
【００１８】
框体２０は、金属框２０ａの屋内側露出部分を樹脂框２０ｂにて覆ってなる複合サッシ用のものであり、複合サッシにおいては通常、複層ガラスが用いられるために、単板ガラス３０を固定する框体に比べて見込み幅を大きくしている。すなわち、グレチャン本体１の左右の側面３、３間は、通常の単板ガラスを固定するグレチャンに比べて幅広に形成される。
【００１９】
グレチャン本体１の天面部２は、ガラス保持部５の開口部６から側面３に向かって下り傾斜面によって構成されている。すなわち、天面部２においては、ガラス保持部５の開口部６が盛上がった形状に形成される。このように、天面部２を傾斜面で構成することにより、グレチャン本体１を単板ガラス３０に固定した場合における開口部６付近の落込みを防ぐことができ、単板ガラス３０の周縁部における水密性を確保することができる。また、落込みを生じさせないことで、特に屋外側の落込み部分にゴミやほこりが溜まるのを防ぐことができる。
【００２０】
また、グレチャン本体１の内部における左右の側面３、３とガラス保持部５の間には、中空部９が設けられる。中空部９は、断面形状略方形状に形成される。ただし、円形など他の形状でもよい。また、中空部９はグレチャン本体１の長手方向に略同一形状に形成される。中空部９を形成することにより、グレチャン本体１は上下方向につぶれやすくなるので、グレチャン本体１を運搬する場合等に巻取ることが可能となり、取扱いを容易にすることができる。
【００２１】
ガラス保持部５は、単板ガラス３０を保持する左右の固定縦壁７、７と底部８からなっており、開口部６付近は左右の固定縦壁７、７間を幅狭に形成されてガラス当接部７ａとなる。また、ガラス当接部７ａより奥側は左右の固定縦壁７、７間を幅広に形成しており、ガラス当接部７ａから幅広に形成される部分は、次第に固定縦壁７、７間を広げる滑らかな曲線によって接続される。
【００２２】
ガラス当接部７ａの開口幅は、天面部２の横幅に対して略５分の１以下の幅狭に形成される。また、ガラス当接部７ａは、縦方向の厚さを開口幅に対して同等以上とされ、厚肉状に形成される。ガラス当接部７ａを厚肉状に形成することにより、天面部２を傾斜面に形成したことと併せて、単板ガラス３０をグレチャン本体１に嵌挿した場合における開口部６付近の落込みを防ぐことができる。
【００２３】
ガラス保持部５における、左右の固定縦壁７、７間を幅広に形成された部分には、左右それぞれ２つずつ舌片状部７ｂ、７ｂを形成されている。舌片状部７ｂ、７ｂは、それぞれ固定縦壁７、７からガラス保持部５の中央方向に向かって斜め下方に向かう突出片として、長手方向全長に沿って形成される。舌片状部７ｂ、７ｂは単板ガラス３０に当接して、グレチャン本体１による水密性を向上させる。本実施形態においては、舌辺状部７ｂ、７ｂを左右の固定縦壁７、７にそれぞれ２つずつ設けているが、１つずつでもよいし、より多くてもよい。
【００２４】
ガラス保持部５の底部８は、グレチャン本体１の底面４に対して水平面として形成される。すなわち、左右の固定縦壁７、７に対しては垂直な面とされる。また、単板ガラス３０をガラス保持部５に保持する際には、単板ガラス３０の端面に当接され、グレチャン本体１の単板ガラス３０に対する差込方向の位置決めをする。
【００２５】
次に、本実施形態におけるグレチャンによる、サッシに対する単板ガラス３０の固定について説明する。図２は、本実施形態におけるサッシの縦断面図を、図３は本実施形態におけるサッシの横断面図を示している。これら各図においてサッシは、建物の躯体４０に固定される上枠１１、下枠１２、及び縦枠１３、１３からなる枠体１０内に、上框２１、下框２２、及び縦框２３、２３を枠組みした框体２０に単板ガラス３０を納めた一対の障子を、引違い状に走行自在に納めてなるものである。
【００２６】
このサッシは、従来の複層ガラスを納めた複合サッシと同様の構造を有してなるものである。枠体１０を構成する各枠材は、複合型の枠材であり、ベースとなる金属枠１０ａとその屋内側露出部分を覆う樹脂枠１０ｂとから構成されている。金属枠１０ａは、金属上枠１４、金属下枠１５、金属縦枠１６、１６を方形に枠組みして構成され、樹脂枠１０ｂは、樹脂上枠１７、樹脂下枠１８、樹脂縦枠１９、１９を方形に枠組みして構成されている。
【００２７】
そして、上記樹脂上枠１７は金属上枠１４に、樹脂下枠１８は金属下枠１５に、樹脂縦枠１９は金属縦枠１６に、それぞれ取付けられている。金属上枠１４と金属下枠１５及び金属縦枠１６には、それぞれ係止片が設けられ、樹脂上枠１７と樹脂下枠１８及び樹脂縦枠１９はそれらに係合された上で、ネジによって固定される。
【００２８】
一方、障子は、枠体１０の屋外側に配される外障子４１と屋内側に配される内障子４２とからなり、上下及び左右の框材を方形状に枠組みして、単板ガラス３０を納めている。各障子は、上記枠体１０と同様に、金属框２０ａとその屋内側露出部分を覆うように取付けられた樹脂框２０ｂとからなる複合型の框材によって構成されている。すなわち、上記樹脂上框２７は金属上框２４に、樹脂下框２８は金属下框２５に、樹脂縦框２９は金属縦框２６に、それぞれ取り付けられている。金属上框２４、金属下框２５、及び金属縦框２６には、それぞれ係止片が設けられ、樹脂上框２７、樹脂下框２８及び樹脂縦框２９はそれらに係合された上で、カシメによって固定される。なお、外障子４１の屋外側には網戸４３が設けられている。
【００２９】
図４は、サッシ縦断面図における単板ガラス３０の固定部分の拡大図であり、図５は、サッシ横断面図における単板ガラス３０の固定部分の拡大図である。これらの図のように、単板ガラス３０の周縁部は、四周に渡ってグレチャン本体１のガラス保持部５に嵌挿され、ガラス保持部５のガラス当接部７ａ及び舌片状部７ｂに圧接すると共に、単板ガラス３０の端面はガラス保持部５の底部８に当接している。また、グレチャン本体１は、側面３、３のサッシ固定溝３ａ、３ａに、框体２０のガラス挟持部３１の先端部に設けられた係合部３１ａ、３１ａを係合させることによって框体２０に挟持されている。
【００３０】
ここで、ガラス挟持部３１は、その屋外側は金属框２０ａに設けられ、屋内側は樹脂框２０ｂに設けられる。したがって、グレチャン本体１は、屋外側を金属に、屋内側を樹脂によって挟持されることになる。このように、屋内側の挟持部３１を樹脂により形成することにより、屋内側の意匠の統一を図ることができる。
【００３１】
ガラス保持部５は、側面３、３が框体２０のガラス挟持部３１によって挟持固定されることにより、単板ガラス３０に強く押しつけられる。すなわち、ガラス当接部７ａ及び舌片状部７ｂは、グレチャン本体１を框体２０に取付けることにより、単板ガラス３０に圧接されて、十分な水密性を確保することができる。
【００３２】
このように、本発明に係るサッシ用グレチャンは、従来の複層ガラスを納めた複合サッシと同じ構造を持ったサッシについて、単板ガラス３０を納めることができ、しかも複層ガラスの場合と同様に十分な水密性を得ることができるものである。
【００３３】
単板ガラス３０の框体２０に対する取付の際には、まず長尺状のグレチャン本体１を単板ガラス３０の四周に取付けることのできる長さに切断する。次に、グレチャン本体１を単板ガラス３０に嵌挿する場合に、単板ガラス３０の四隅にあたる部分は、天面部２を残してグレチャン本体１を縦方向に切断し、天面部２は単板ガラス３０の角部に当接するようにしながら、グレチャン本体１を直角に折曲げる。このようにして、グレチャン本体１を単板ガラス３０の四周に嵌挿した後に、框体２０の各框材である上框２１、下框２２、左右の縦框２３、２３のガラス挟持部３１、３１によってグレチャン本体１の側面３、３に設けられたサッシ固定溝３ａ、３ａを挟持し、各框材は框組されて框体２０に単板ガラス３０を納めた障子とする。
【００３４】
【発明の効果】
以上のように、本発明によれば、複合サッシ用の横幅を有するグレチャン本体に単板ガラスを嵌挿する開口幅のガラス保持部を形成したことにより、金属框と樹脂框からなる框体に単板ガラスを強固に取付けることができ、かつ開口部近傍に幅狭に形成されてなるガラス当接部を有することにより、水密性を確保することができるという効果がある。
【００３５】
また、本発明によれば、グレチャン本体の天面部を開口部から左右の側面に向かう下り傾斜の幅広状に構成し、ガラス当接部は厚肉状に形成することにより、グレチャンに単板ガラスを嵌挿した際に、ガラス保持部の開口部の落込みを防止することができて、グレチャンの水密性の低下を防ぐことができると共に、特に屋外側において、天面部の落込み部にゴミやほこりが溜まるのを防ぐことができるという効果がある。
【００３６】
さらに、ガラス保持部と左右の側壁の間にはそれぞれ中空部を形成されることにより、グレチャンは上下方向につぶれやすくなるので、グレチャンの運搬等の際に巻取っておくことが可能となり、極めて長い長尺状に形成されたグレチャンの取扱いが容易になるという効果がある。
【図面の簡単な説明】
【図１】本実施形態におけるグレチャンの断面図である。
【図２】本実施形態におけるグレチャンによって単板ガラスを障子に取付けた状態のサッシ縦断面図である。
【図３】本実施形態におけるグレチャンによって単板ガラスを障子に取付けた状態のサ
ッシ横断面図である。
【図４】図２におけるグレチャンによる単板ガラスの固定部分の拡大図である。
【図５】図３におけるグレチャンによる単板ガラスの固定部分の拡大図である。
【符号の説明】
１　　　グレチャン本体
２　　　天面部
３　　　側面
３ａ　　サッシ固定溝
４　　　底面
５　　　ガラス保持部
６　　　開口部
７　　　固定縦壁
７ａ　　ガラス当接部
７ｂ　　舌片状部
８　　　底部
９　　　中空部
１０　　　枠体
１０ａ　　金属枠
１０ｂ　　樹脂枠
２０　　　框体
２０ａ　　金属框
２０ｂ　　樹脂框
３０　　　単板ガラス
３１　　　ガラス挟持部
３１ａ　　係合部
３１ｂ　　ガラス挿入溝
【図１】
2004124388.tif 000003
【図２】
2004124388.tif 000004
【図３】
2004124388.tif 000005
【図４】
2004124388.tif 000006
【図５】
2004124388.tif 000007